(57)【要約】【課題】陳列可能なコンタクトレンズ用パッケージを提供する。【解決手段】コンタクトレンズ用パッケージは、第１のパネルを備え、この第１のパネルは、コンタクトレンズのセットを第１のパネル内に収納するウェルと、第１のパネルに取り外し自在に取り付けられていて、コンタクトレンズのセットを収納機構内に密閉するカバー層とを有する。パッケージはまた、第１のパネルに取り付けられた第２のパネルも備える。第２のパネルは、これがパネル上に折り重ねられた第１の位置と、旋回されて第１のパネルから遠ざけられた第２の位置との間で第１のパネルに対して旋回可能である。第２のパネルをその第１の位置に位置させると、第１のパネルと第２のパネルは、従来型陳列ユニット上で陳列されるように構成された実質的に平べったいパッケージを形成する。【選択図】図３
2008533526.tif 000002
【特許請求の範囲】
【請求項１】
少なくとも１つのコンタクトレンズのためのパッケージにおいて、
第１のパネルであって、
少なくとも１つのコンタクトレンズを前記第１のパネル内に収納するための少なくとも１つの収納手段、および、
前記第１のパネルに取り外し自在に取り付けられていて、少なくとも１つのコンタクトレンズを前記収納手段内に密閉するための被覆手段、
を含む、第１のパネルと、
前記第１のパネルに取り付けられた第２のパネルであって、前記第２のパネルは、前記第２のパネルが前記第１のパネル上に折り重ねられた第１の位置と、前記第２のパネルが旋回されて前記第１のパネルから遠ざけられた第２の位置との間で、前記第１のパネルに対して旋回可能である、第２のパネルと、
を備える、パッケージ。
【請求項２】
請求項１記載のパッケージにおいて、
前記第１のパネルおよび前記第２のパネルは、前記第２のパネルを前記第１の位置に位置させると、実質的に平べったいパッケージを形成する、パッケージ。
【請求項３】
請求項１記載のパッケージにおいて、
前記第２のパネルは、
少なくとも１つのコンタクトレンズを前記第２のパネル内に収納するための少なくとも１つの第２の収納手段と、
前記第２のパネルに取り外し自在に取り付けられていて、少なくとも１つのコンタクトレンズを前記少なくとも１つの第２の収納手段内に密閉するための被覆手段と、
を含む、パッケージ。
【請求項４】
請求項３記載のパッケージにおいて、
前記第１のパネルおよび前記第２のパネルは、それぞれ、第１の穴および第２の穴を含み、
前記第１の穴および前記第２の穴は、前記第２のパネルが前記第１の位置にあるときに、陳列システムのワイヤを前記第１および第２の穴を通して受け入れるように互いに整列する、パッケージ。
【請求項５】
請求項３記載のパッケージにおいて、
前記第２のパネルを前記第１の位置に保持するための保持手段、
を更に有する、パッケージ。
【請求項６】
請求項４記載のパッケージにおいて、
前記保持手段は、
前記第１のパネル上に形成された少なくとも１つの突起、および、
前記第２のパネル上に形成された少なくとも１つの窪み、
を含み、
前記少なくとも１つの窪みは、前記少なくとも１つの突起を受け入れて保持するような寸法形状になっている、パッケージ。
【請求項７】
請求項３記載のパッケージにおいて、
前記パッケージは、少なくとも２つのコンタクトレンズを収納するためのものであり、
前記第１のパネルの前記収納手段は、前記第１のパネルに形成された少なくとも１つの第１のウェルを含み、
前記第１のウェルは、少なくとも１つのコンタクトレンズを収納するような寸法形状になっており、
前記第２のパネルの前記第２の収納手段は、前記第２のパネルに形成された少なくとも１つの第２のウェルを含み、
前記第２のウェルの各々は、少なくとも１つのコンタクトレンズを収納するような寸法形状になっている、パッケージ。
【請求項８】
請求項７記載のパッケージにおいて、
前記第１のパネルの前記被覆手段は、前記第１のパネルに取り外し自在に取り付けられた少なくとも１つの第１のカバーを含み、
前記第１のカバーの各々は、対応する前記第１のウェルを密閉し、
前記第２のパネルの前記第２の被覆手段は、前記第２のパネルに取り外し自在に取り付けられた少なくとも１つの第２のカバーを含み、
前記第２のカバーの各々は、対応する前記第２のウェルを密閉する、パッケージ。
【請求項９】
請求項２記載のパッケージにおいて、
前記第１のパネルの前記収納手段は、前記第１のパネルに形成された複数個の第１のウェルを含み、
前記第１のウェルの各々は、少なくとも１つのコンタクトレンズを収納するような寸法形状になっており、
前記第２のパネルの前記第２の収納手段は、前記第２のパネルに形成された複数個の第２のウェルを含み、
前記第２のウェルの各々は、少なくとも１つのコンタクトレンズを収納するような寸法形状になっている、パッケージ。
【請求項１０】
請求項９記載のパッケージにおいて、
前記第１のパネルおよび前記第２のパネルは、それぞれ、第１の面および第２の面を含み、
前記第１のウェルは、前記第１の面が実質的に平らであるように前記第１のパネルの前記第１の面から遠ざかるように延びており、
前記第２のウェルは、前記第２の面が実質的に平らであるように前記第２のパネルの前記第２の面から遠ざかるように延びている、パッケージ。
【請求項１１】
請求項１０記載のパッケージにおいて、
前記第１の面および前記第２の面は、前記第２のパネルが前記第１の位置にあるときに、互いに隣接して位置する、パッケージ。
【請求項１２】
請求項１１記載のパッケージにおいて、
前記第１のパネルの前記被覆手段は、前記第１のパネルに取り外し自在に取り付けられた複数個の第１のカバーを含み、
前記第１のカバーの各々は、前記第１のウェルの対応するウェルを密閉し、
前記第２のパネルの前記第２の被覆手段は、前記第２のパネルに取り外し自在に取り付けられた複数個の第２のカバーを含み、
前記第２のカバーの各々は、前記第２のウェルの対応するウェルを密閉する、パッケージ。
【請求項１３】
請求項１記載のパッケージにおいて、
前記第１のパネルの前記収納手段は、前記第１のパネルに形成された複数個のウェルを含む、パッケージ。
【請求項１４】
請求項１３記載のパッケージにおいて、
前記第１のパネルの前記被覆手段は、前記第１のパネルに取り外し自在に取り付けられた複数個のカバーを含み、
前記第１のカバーの各々は、前記ウェルの対応するウェルを密閉する、パッケージ。
【請求項１５】
請求項１４記載のパッケージにおいて、
前記第２のパネルは、前記第２のパネルを通して前記コンタクトレンズのセットを視認できるようにするための視認手段を含む、パッケージ。
【請求項１６】
請求項１５記載のパッケージにおいて、
前記視認手段は、前記第２のパネルに形成された複数個の開口部を含み、
前記開口部の各々は、前記第２のパネルが前記第１の位置に位置付けられると、前記カバーのうちの対応するカバーと整列する、パッケージ。
【請求項１７】
請求項１６記載のパッケージにおいて、
前記第２のパネルを前記第１の位置に保持するための保持手段、
を更に備え、
前記保持手段は、前記第１および第２のパネルにそれぞれ取り付けられた第１および第２のファスナ部材を含み、
前記第１および第２のファスナ部材は、互いに解除自在に係合可能である、パッケージ。
【請求項１８】
請求項１１記載のパッケージにおいて、
前記第１のパネルおよび前記第２のパネルは、射出成形法により形成される、パッケージ。
【請求項１９】
請求項１３記載のパッケージにおいて、
前記ウェルは、熱成形法により形成される、パッケージ。
【請求項２０】
請求項１４記載のパッケージにおいて、
前記カバーの各々は、アルミニウム箔と１種類または２種類以上のポリマーとを含むラミネートのうちの一つから作られた蓋素材を含む、パッケージ。
【発明の詳細な説明】
【開示の内容】
【０００１】
〔発明の分野〕
本発明は、コンタクトレンズ用パッケージに関し、より具体的には、多数個のコンタクトレンズを収容するように構成されたパッケージに関する。
【０００２】
〔発明の背景〕
従来、コンタクトレンズは、ブリスターパックで包装されてきた。各ブリスターパックは、典型的には、単一のレンズが同梱されており、レンズを受け入れる容器、および、レンズを容器内に密閉するために、容器に取り外し自在に取り付けられた箔ラミネート（foil laminate）または蓋素材（lid stock）の形態をしたカバー、を有する。従来型ブリスターパックは、コンタクトレンズを出荷したり保管したりする便利な手段を提供しているが、これらブリスターパックは、従来型小売り陳列ユニット、例えば、ペグフックタイプ（peg-hook-type）もしくはワイヤフックタイプ（wire-hook-type）の、陳列具または陳列棚の上に陳列されるようには構成されていない。したがって、従来型小売り陳列ユニットの上で陳列されるように構成されたコンタクトレンズ用パッケージが要望されている。
【０００３】
〔発明の概要〕
本発明は、新規かつ改良型のコンタクトレンズ用パッケージを提供することにより、上述の先行技術の不都合および欠点を解決する。より具体的には、パッケージは、第１のパネルを備えており、この第１のパネルは、コンタクトレンズのセットを第１のパネル内に収納するための収納手段、例えば、ウェル（well）または容器と、第１のパネルに取り外し自在に取り付けられていて、収納機構内にコンタクトレンズのセットを密閉（enclose）するための被覆手段（covering means）と、を有する。パッケージはまた、第１のパネルに取り付けられた第２のパネルも備える。第２のパネルは、第２のパネルが第１のパネル上に折り重ねられる第１の位置と、第２のパネルが旋回されて第１のパネルから遠ざけられる第２の位置との間で、第１のパネルに対して旋回可能である。第２のパネルをその第１の位置に位置させると、第１のパネルと第２のパネルとは、従来型陳列ユニットの上で陳列されるように構成される、実質的に平べったいパッケージを形成する。
【０００４】
〔発明の詳細な説明〕
本発明をより完全に理解するために、添付の図面とともに考察される２つの例示的な実施形態に関する以下の詳細な説明を参照されたい。
【０００５】
本発明は、少なくとも１つのコンタクトレンズのパッケージであって、
第１のパネルであって、前記第１のパネルが、少なくとも１つのコンタクトレンズを前記第１のパネル内に収納するための少なくとも１つの収納手段、および、前記第１のパネルに取り外し自在に取り付けられていて、少なくとも１つのコンタクトレンズを前記収納手段内に密閉するための被覆手段を含む、第１のパネルと、
前記第１のパネルに取り付けられた第２のパネルであって、前記第２のパネルが前記第１のパネル上に折り重ねられた第１の位置と、前記第２のパネルが旋回されて前記第１のパネルから遠ざけられた第２の位置との間で、前記第１のパネルに対して旋回可能である、第２のパネルと、を具備する、パッケージ、を含む。図１〜図４を参照すると、本発明の実施形態に従って構成されたコンタクトレンズ用パッケージ１０が示されている。パッケージ１０は、１対のパネル１４，１６を形成するように、それ自体折り重ねられたシート１２で作られている。より具体的には、シート１２は、パネル１４，１６が互いに対して旋回できるように、パネル１４，１６の間に配置された、一体に形成されたヒンジまたは一体ヒンジ１８（integrally formed or living hinges 18）、を有する。切り欠き部２０（cutout 20）が、パネル１４，１６の旋回運動を容易にするために、ヒンジ１８の間でシート１２に形成されている。その結果、パッケージ１０は、パネル１４，１６が互いに向かって旋回され、それ故、互いに隣接して位置する折り重ねられた向き（folded orientation）（図１および図２参照）、または、パネル１４，１６が旋回されて互いから遠ざけられ、それ故、互いから遠く離れて位置する開いた向き（unfolded orientation）（図４参照）、を取ることができる。図４では、パネル１４は、基本的にパネル１６の形状と同一の形状を有するが、これらパネルは、同一ではない形状を有していても良い。
【０００６】
依然として図１〜図４を参照すると、パネル１４，１６は、それぞれ、１組のウェルまたは凹部２２，２４を有している。ウェル２２，２４の各々は、開口上端部２６（図２参照）を有し、各ウェルは、コンタクトレンズ２８および従来のコンタクトレンズ溶液を受け入れる（即ち、収容する）ような寸法形状になっている。これら収納手段であるウェル２２，２４は、それぞれ、パネル１４，１６から外方に突き出ており、それにより、それぞれ、実質的に平らな面３０，３２をもたらし、それ故に、パッケージ１０を折り畳んで、実質的に平べったいまたは薄っぺらなパッケージユニットの状態にすることができる。
【０００７】
カバー層３４（cover layer 34）（図４参照）が、従来のやり方でそれぞれ、パネル１４，１６の面３０，３２の各々に取り付けられて、ウェル２２，２４の開口端部２６を密封し、それによりコンタクトレンズ２８をこの中に密閉するようになっている。より具体的には、カバー層３４は、複数の個々のカバー３６を形成するために所定の線に沿って目打ちされ、またはスライスされて（sliced）おり、これらカバーの各々は、ウェル２４の対応する各々を密閉する。カバー３６の各々は、タブ３８を有し、このタブ３８は、その対応するカバー３６の上に折り重ねられていて、タブ３８はカバー３６に解除自在に取り付けられている。タブ３８の各々は、カバー３６の対応する１つを、対応するパネル１４，１６（図４参照）から引き剥がし（図４の想像線参照）、または取り外すときに、ユーザの指で把持されるよう構成されている。カバー層３４の各々は、パネル１４，１６の対応する各々を横切って延びるバナー区分４０（banner section 40）（図４参照）を有している。バナー区分４０には、標識（indicia）、例えば商品名、取扱説明書および他の文書ならびに図形を、あらかじめ印刷しても良い。
【０００８】
図３および図４を参照すると、突起４２（prongs 42）が、パネル１４上に設けられ、窪み４４（receptacles 44）が、パネル１６上に設けられている（４２および４４は、保持手段の非限定的な例である）。窪み４４の各々は、その中に突起４２の対応する各々を受け入れて解除自在に保持するような寸法形状になっており、従って、パッケージ１０は、その折り重ねられた向きに解除自在に維持されることができる。パネル１４，１６の各々はまた、取り付け穴４６（mounting holes 46）も有している。取り付け穴４６は、パッケージ１０がその折り重ねられた向きにあるときに、互いに整列するように構成されている。取り付け穴４６は、従来型陳列具（例えば、ペグフックタイプまたはワイヤフックタイプの陳列具）の、フックまたはワイヤ４８（図１参照）を、この穴を通して受け入れるような寸法形状になっている。このように、パッケージ１０をかかる陳列具上に、都合良くかつ容易に配置することができる。
【０００９】
シート１２は、任意の従来方法で形成されることが可能である。例えば、シートは、従来型射出成形法を利用して、ポリマー材料から作ることができる。あるいは、シート１２を形成するのに、ブランク（blank）を適当な材料からダイカット（die-cutting）し、次に、ウェル２２，２４、突起４２および窪み４４を、従来型熱成形法によりブランクの中に形成しても良い。シート１２は、従来の材料から作られており、かかる材料としては、ポリプロピレン、ポリエチレン、ナイロン、オレフィン共重合体（olefin co-polymers）、アクリル樹脂（acrylics）、ゴム、ウレタン、ポリカーボネート、フルオロカーボン（fluorocarbons）を含むが、これらには限定されない。
【００１０】
カバー層３４を従来構造、例えば、アルミニウム箔と、気密シールを形成するように面３０および３２に封着可能な１種類または２種類以上のポリマー、例えば、ポリプロピレンフィルムまたは任意の他のポリマーの押出フィルムもしくは共押出フィルムと、の接着性ラミネート（adhesive laminate）から形成されていても良い。カバー層の例は、次の特許、即ち、米国特許第６，０５４，０９０号明細書および同第５，６５６，３６２号明細書に開示されており、これら米国特許を参照により引用し、これらの開示内容全体を本明細書の一部とする。
【００１１】
使用にあたり、パネル１４，１６を旋回させて互いから遠ざけることにより、パッケージ１０をその折り畳まれた向きから開いて、その開いた向きにする。パッケージ１０が開かれると、カバー３６はパネル１４，１６から引き剥がされて、コンタクトレンズ２８をパネルから取り出すことができる。次に、未使用状態のコンタクトレンズ２８を保管するために、パッケージ１０を元の状態に折り畳んで、その折り畳まれた向きにすることができる。
【００１２】
本発明は、多くの利点および利益をもたらすことは理解されるべきである。例えば、本発明は、小売店の従来型の陳列具上で、容易に陳列されることができるコンタクトレンズ用パッケージを提供する。より具体的には、パッケージ１０を、ワイヤまたはペグフックから、その折り畳まれた向きで吊り下げることができる。さらに、パッケージ１０を実質的に平らな状態に折り畳むことができるので、かかるパッケージを、従来型陳列棚上に積み重ねることができ、あるいは他の同一のまたは類似のパッケージと一緒に載せることができる。加うるに、パッケージ１０は、その実質的に平べったい折り畳まれた形状により、容易な出荷、保管および／または流通が可能であるように構成されている。その結果、パッケージ１０を小売店まで容易に出荷することができ、そしてユーザにより都合良く携帯することが可能である。
【００１３】
パッケージ１０は多くの変形および変更を有することができることは、注目すべきことである。例えば、パネル１４，１６を互いに旋回可能に取り付けられる別々の部品として形成しても良い。さらに、パネル１４，１６のうち一方を無くすことができ、それにより、単一のパネルを有するコンタクトレンズ用パッケージが得られる。あるいは、パッケージ１０は、３枚以上のパネルを備えていてもよく、それにより、パッケージ１０は、より多くのコンタクトレンズを保管するための追加のウェルを有することができる。突起４２および窪み４４はまた、他の仕組み（例えば、マジックテープ（hook-and-loop）すなわちＶＥＬＣＲＯ（登録商標）ファスナ）に置き換えられても良い。さらに、カバー３６を別々に形成して個別的にパネル１４，１６に取り付けても良い。
【００１４】
図５〜図７は、本発明の別の実施形態を示している。図１〜図４の実施形態に関して上述した要素と同一または実質的に同一の図５〜図７に示されている要素には、対応の参照符号に１００を足した状態で示されている。別段の指定がなければ、図５〜図７の実施形態は、図１〜図４の実施形態と基本的に同一の仕方で、構成されて組み立てられている。
【００１５】
図５〜図７を参照すると、本発明の第２の実施形態に従って構成されたコンタクトレンズ用パッケージ１１０が示されている。より具体的には、パッケージ１１０は、互いに一体に形成された１対のパネル１１４，１１６を有している。一体に形成されたヒンジ（即ち、一体ヒンジ）１１８が、パネル１１４，１１６の間に形成されており、従って、パネル１１６が、パネル１１４に対して旋回できるようになっている。その結果、パネル１１６は、閉じた位置（図７に破線で示されたパネル１１６参照）、および開いた位置（図６参照）との間を動くことができる。かくして、パッケージ１１０は、従来型陳列具（例えば、陳列棚）上に、積み重ねられるように、あるいは同一または類似のパッケージと一緒に配置されるように、実質的に平らに折り畳み可能である。ＶＥＬＣＲＯ（登録商標）タイプのファスナ１４２が、パネル１１６をその閉じた位置に維持するように、パネル１１４，１１６上に設けられている。
【００１６】
パネル１１４は、複数個のウェル１２２（図７参照）を有し、ウェルの各々は、コンタクトレンズおよび従来型コンタクトレンズ溶液を受け入れるような寸法形状になっている。透明な被覆層１３４が、複数個のウェル１２２を覆うように、パネル１１４および１１６に気密状態で封着可能なポリマーから作られている。被覆層１３４は、パネル１１４に取り付けられており、複数個の個々のカバー１３６を形成するように目打ちされている。カバー１３６の各々は、パネル１１４からのその引き剥がしまたは取り外しを容易にするためのタブ１３８を備えている。あるいは、被覆層１３４は、不透明であっても良い。
【００１７】
図５〜図７を参照すると、パネル１１４とは異なり、パネル１１６は、ウェルを備えていない。パネル１１６は、複数個の実質的に円形の開口部１５０を有し、これら開口部は、パッケージ１１０がその折り畳まれた向きにあるとき、これら開口部の各々がパネル１１４のウェル１２２に対応する各々と、整列するように位置付けられている。このように、ウェル１２２内に収容されているコンタクトレンズは、パッケージ１１０を開けないでも、開口部１５０を通してユーザまたは消費者に見える（即ち、ユーザまたは消費者によって視認可能である）。かくして、パネル１１６は、パネル１１４の蓋としての役目を果たす。
【００１８】
次に図５を参照すると、パネル１１６は、この上に施された標識、例えば商品名、取扱説明書および他の文書および図形を備えていても良い。例えば、パネル１１６は、パネル１１６の互いに反対側の面上に施され、または印刷された文字“Ｌ”および“Ｒ”を有することができ、それによってこれら文字の各々に対応したコンタクトレンズがユーザの右目または左目用であることを指示することができる。２つのウェルがパネル１１４の各面上に設けられていることにより、パッケージ１１０は、毎日使い捨てのコンタクトレンズの２日分を提供するように構成されている。あるいは、パッケージ１１０は、追加のウェルを備えていてもよく、それにより、追加の数のコンタクトレンズが提供される。また、パッケージ１１０は、全部で２つのウェルを備えていても良い（即ち、パッケージ１１０は、１日分パックであって良い）。
【００１９】
本明細書において説明した実施形態は、単なる例示であり、当業者であれば、本発明の精神および範囲から逸脱することなく、多くの変形および変更をすることができることは理解されよう。上述の変形および変更を含む、全てのかかる変形および変更は、特許請求の範囲に記載された本発明の範囲に含まれるものである。
【００２０】
〔実施の態様〕
（１）少なくとも１つのコンタクトレンズのためのパッケージにおいて、
第１のパネルであって、
少なくとも１つのコンタクトレンズを前記第１のパネル内に収納するための少なくとも１つの収納手段、および、
前記第１のパネルに取り外し自在に取り付けられていて、少なくとも１つのコンタクトレンズを前記収納手段内に密閉するための被覆手段、
を含む、第１のパネルと、
前記第１のパネルに取り付けられた第２のパネルであって、前記第２のパネルは、前記第２のパネルが前記第１のパネル上に折り重ねられた第１の位置と、前記第２のパネルが旋回されて前記第１のパネルから遠ざけられた第２の位置との間で前記第１のパネルに対して旋回可能である、第２のパネルと、
を備える、パッケージ。
（２）実施態様（１）記載のパッケージにおいて、
前記第１のパネルおよび前記第２のパネルは、前記第２のパネルを前記第１の位置に位置させると、実質的に平べったいパッケージを形成する、パッケージ。
（３）実施態様（１）記載のパッケージにおいて、
前記第２のパネルは、
少なくとも１つのコンタクトレンズを前記第２のパネル内に収納するための少なくとも１つの第２の収納手段と、
前記第２のパネルに取り外し自在に取り付けられていて、少なくとも１つのコンタクトレンズを前記少なくとも１つの第２の収納手段内に密閉するための被覆手段と、
を含む、パッケージ。
（４）実施態様（３）記載のパッケージにおいて、
前記第１のパネルおよび前記第２のパネルは、それぞれ、第１の穴および第２の穴を含み、
前記第１の穴および前記第２の穴は、前記第２のパネルが前記第１の位置にあるときに、陳列システムのワイヤを前記第１および第２の穴を通して受け入れるように互いに整列する、パッケージ。
（５）実施態様（３）記載のパッケージにおいて、
前記第２のパネルを前記第１の位置に保持するための保持手段、
を更に有する、パッケージ。
（６）実施態様（４）記載のパッケージにおいて、
前記保持手段は、
前記第１のパネル上に形成された少なくとも１つの突起、および、
前記第２のパネル上に形成された少なくとも１つの窪み、
を含み、
前記少なくとも１つの窪みは、前記少なくとも１つの突起を受け入れて保持するような寸法形状になっている、パッケージ。
（７）実施態様（３）記載のパッケージにおいて、
前記パッケージは、少なくとも２つのコンタクトレンズを収納するためのものであり、
前記第１のパネルの前記収納手段は、前記第１のパネルに形成された少なくとも１つの第１のウェルを含み、
前記第１のウェルは、少なくとも１つのコンタクトレンズを収納するような寸法形状になっており、
前記第２のパネルの前記第２の収納手段は、前記第２のパネルに形成された少なくとも１つの第２のウェルを含み、
前記第２のウェルの各々は、少なくとも１つのコンタクトレンズを収納するような寸法形状になっている、パッケージ。
（８）実施態様（７）記載のパッケージにおいて、
前記第１のパネルの前記被覆手段は、前記第１のパネルに取り外し自在に取り付けられた少なくとも１つの第１のカバーを含み、
前記第１のカバーの各々は、対応する前記第１のウェルを密閉し、
前記第２のパネルの前記第２の被覆手段は、前記第２のパネルに取り外し自在に取り付けられた少なくとも１つの第２のカバーを含み、
前記第２のカバーの各々は、対応する前記第２のウェルを密閉する、パッケージ。
（９）実施態様（２）記載のパッケージにおいて、
前記第１のパネルの前記収納手段は、前記第１のパネルに形成された複数個の第１のウェルを含み、
前記第１のウェルの各々は、少なくとも１つのコンタクトレンズを収納するような寸法形状になっており、
前記第２のパネルの前記第２の収納手段は、前記第２のパネルに形成された複数個の第２のウェルを含み、
前記第２のウェルの各々は、少なくとも１つのコンタクトレンズを収納するような寸法形状になっている、パッケージ。
【００２１】
（１０）実施態様（９）記載のパッケージにおいて、
前記第１のパネルおよび前記第２のパネルは、それぞれ、第１の面および第２の面を含み、
前記第１のウェルは、前記第１の面が実質的に平らであるように前記第１のパネルの前記第１の面から遠ざかるように延びており、
前記第２のウェルは、前記第２の面が実質的に平らであるように前記第２のパネルの前記第２の面から遠ざかるように延びている、パッケージ。
（１１）実施態様（１０）記載のパッケージにおいて、
前記第１の面および前記第２の面は、前記第２のパネルが前記第１の位置にあるときに、互いに隣接して位置する、パッケージ。
（１２）実施態様（１１）記載のパッケージにおいて、
前記第１のパネルの前記被覆手段は、前記第１のパネルに取り外し自在に取り付けられた複数個の第１のカバーを含み、
前記第１のカバーの各々は、前記第１のウェルの対応するウェルを密閉し、
前記第２のパネルの前記第２の被覆手段は、前記第２のパネルに取り外し自在に取り付けられた複数個の第２のカバーを含み、
前記第２のカバーの各々は、前記第２のウェルの対応するウェルを密閉する、パッケージ。
（１３）実施態様（１）記載のパッケージにおいて、
前記第１のパネルの前記収納手段は、前記第１のパネルに形成された複数個のウェルを含む、パッケージ。
（１４）実施態様（１３）記載のパッケージにおいて、
前記第１のパネルの前記被覆手段は、前記第１のパネルに取り外し自在に取り付けられた複数個のカバーを含み、
前記第１のカバーの各々は、前記ウェルの対応するウェルを密閉する、パッケージ。
（１５）実施態様（１４）記載のパッケージにおいて、
前記第２のパネルは、前記第２のパネルを通して前記コンタクトレンズのセットを視認できるようにするための視認手段（viewing means）を含む、パッケージ。
（１６）実施態様（１５）記載のパッケージにおいて、
前記視認手段は、前記第２のパネルに形成された複数個の開口部を含み、
前記開口部の各々は、前記第２のパネルが前記第１の位置に位置付けられると、前記カバーのうちの対応するカバーと整列する、パッケージ。
（１７）実施態様（１６）記載のパッケージにおいて、
前記第２のパネルを前記第１の位置に保持するための保持手段、
を更に備え、
前記保持手段は、前記第１および第２のパネルにそれぞれ取り付けられた第１および第２のファスナ部材を含み、
前記第１および第２のファスナ部材は、互いに解除自在に係合可能である、パッケージ。
（１８）実施態様（１１）記載のパッケージにおいて、
前記第１のパネルおよび前記第２のパネルは、射出成形法により形成される、パッケージ。
（１９）実施態様（１３）記載のパッケージにおいて、
前記ウェルは、熱成形法により形成される、パッケージ。
（２０）実施態様（１４）記載のパッケージにおいて、
前記カバーの各々は、アルミニウム箔と１種類または２種類以上のポリマーとを含むラミネートのうちの一つから作られた蓋素材（lidstock）を含む、パッケージ。
【図面の簡単な説明】
【００２２】
【図１】本発明の第１の実施形態に従って構成されたコンタクトレンズ用パッケージの斜視図である。
【図２】図１に示すコンタクトレンズ用パッケージの２−２線矢視断面図である。
【図３】図１のコンタクトレンズ用パッケージの斜視図であり、コンタクトレンズ用パッケージが部分的に開かれた位置で示されているパネルを有する状態を示す図である。
【図４】図１のコンタクトレンズ用パッケージの斜視図であり、パネルが、これらの完全に開いた位置で示されている状態を示す図である。
【図５】本発明の第２の実施形態に従って構成されたコンタクトレンズ用パッケージの斜視図であり、コンタクトレンズ用パッケージの蓋パネルが、その閉じた位置で示されている状態を示す図である。
【図６】図５のコンタクトレンズ用パッケージの斜視図であり、蓋パネルが、その開いた位置で示されている状態を示す図である。
【図７】図５のコンタクトレンズ用パッケージの略図であり、蓋パネルのその閉じた位置からその開いた位置への動きを示す図である。
【図１】
2008533526.tif 000003
【図２】
2008533526.tif 000004
【図３】
2008533526.tif 000005
【図４】
2008533526.tif 000006
【図５】
2008533526.tif 000007
【図６】
2008533526.tif 000008
【図７】
2008533526.tif 000009
【国際調査報告】
2008533526.tif 000010
2008533526.tif 000011
2008533526.tif 000012